(57)【特許請求の範囲】
【請求項１】
底板と側壁と該側壁の上端縁から側方に突出するフランジを備え物品を収納する合成樹脂製の箱体と、天板と該天板の周縁に設けた外側板と該外側板の内側に設けた当接部を備え前記箱体に被せる合成樹脂製の蓋体とから成る物品収納箱において、
前記箱体のフランジには高さ位置が異なる上位段部と下位段部とを有する複数の支持部を設け、
前記蓋体の外側板は前記箱体のフランジの外側に嵌合すると共に前記箱体の周辺部を覆い、
前記蓋体の当接部は、前記箱体の支持部と同数とし、前記箱体の側壁の内面に接する面部と、前記支持部の上位段部又は下位段部に択一的に上方から当接する突起部とを有し、
前記箱体の側壁及びフランジは、前記蓋体の外側板と当接部の面部との間に接して位置し、
前記箱体に前記蓋体を第１の方向に向けて被せた際に、前記複数の当接部の突起部は前記複数の支持部の上位段部にそれぞれ当接し、
前記箱体に前記蓋体を前記第１の方向とは１８０度異なる第２の方向に向けて被せた際に、前記複数の当接部の突起部は前記複数の支持部の下位段部にそれぞれ当接するようにしたことを特徴とする物品収納箱。
【請求項２】
前記箱体と前記蓋体の平面形状は矩形状とした請求項１に記載の物品収納箱。
【請求項３】
前記蓋体の異なる高さ位置で、前記箱体、蓋体同士を連結する係止突起を前記箱体のフランジと前記蓋体の外側板にそれぞれ設けた請求項１又は２に記載の物品収納箱。
【発明の詳細な説明】
【０００１】
【発明の属する技術分野】
本発明は、衣類等の物品を収納する箱体と、この箱体に被せる蓋体とから成る物品収納箱に関するものである。
【０００２】
【従来の技術】
この種の物品収納箱の形状や材質は多種多様となっているが、平面長方形で合成樹脂製となっている場合が多い。そして、仕分けの容易さや搬送の容易さ等から、物品収納箱は薄型で積み重ねて使用できるようになっている。
【０００３】
一方、マンション等の部屋の専有面積は狭い場合が多いので、その居住者の多くは部屋全体を有効に利用している。例えば、複数の物品収納箱を部屋の壁際に重ねて配置したり、ベッドの下に横に並べて配置したりしている。
【０００４】
【発明が解決しようとする課題】
しかしながら、ベッドの下の空間の高さは一様ではないので、物品収納箱の高さが僅かでも高過ぎた場合には、物品収納箱をベッドの下に配置できないことがある。これに対し、物品収納箱の高さがベッドの下に容易に配置し得る高さである場合には、その物品収納箱とベッドとの間の空間が無駄になることが多い。
【０００５】
本発明の目的は、上述の課題を解決し、高さを変更可能とすることにより、狭い空間に有効に対応し得る物品収納箱を提供することにある。
【０００６】
【課題を解決するための手段】
上記目的を達成するための本発明に係る物品収納箱は、底板と側壁と該側壁の上端縁から側方に突出するフランジを備え物品を収納する合成樹脂製の箱体と、天板と該天板の周縁に設けた外側板と該外側板の内側に設けた当接部を備え前記箱体に被せる合成樹脂製の蓋体とから成る物品収納箱において、前記箱体のフランジには高さ位置が異なる上位段部と下位段部とを有する複数の支持部を設け、前記蓋体の外側板は前記箱体のフランジの外側に嵌合すると共に前記箱体の周辺部を覆い、前記蓋体の当接部は、前記箱体の支持部と同数とし、前記箱体の側壁の内面に接する面部と、前記支持部の上位段部又は下位段部に択一的に上方から当接する突起部とを有し、前記箱体の側壁及びフランジは、前記蓋体の外側板と当接部の面部との間に接して位置し、前記箱体に前記蓋体を第１の方向に向けて被せた際に、前記複数の当接部の突起部は前記複数の支持部の上位段部にそれぞれ当接し、前記箱体に前記蓋体を前記第１の方向とは１８０度異なる第２の方向に向けて被せた際に、前記複数の当接部の突起部は前記複数の支持部の下位段部にそれぞれ当接するようにしたことを特徴とする。
【０００７】
【発明の実施の形態】
本発明を図示の実施の形態に基づいて詳細に説明する。
図１は本発明の実施の形態の外観斜視図、図２は図１の中心線Ａに沿って切断した拡大短縮断面図である。この実施の形態の物品収納箱は合成樹脂製とし、衣類等の物品を収納し得る平面長方形の箱体１と、この箱体１に被せ得る平面長方形の蓋体２とから構成している。そして、蓋体２の向きを反対にすることにより、蓋体２を箱体１に異なる高さ位置で被せ得るようにしている。なお、物品収納箱の短手方向を前後方向とし、長手方向を左右方向とした場合に、中心線Ａは物品収納箱の前後の中心を結ぶ線とし、基線Ｂは物品収納箱の左右の中心を結ぶ線としている。
【０００８】
箱体１は四角筒を形成する側壁１１〜１４と、これらの側壁１１〜１４の下端縁側を閉じる底板１５と、側壁１１〜１４の上端縁から外方にそれぞれ突出するフランジ１６〜１９（フランジ１７は図示せず）とを有している。
【０００９】
左右のフランジ１８、１９は、蓋体２を係止するための係止突起２０、２１を上下方向に間隔をおいてそれぞれ有している。係止突起２０、２１の前後方向の長さは任意とすることができるが、これらの係止突起２０、２１は箱体１の方向の基準として利用することができる。
【００１０】
例えば、左方のフランジ１８の上方の係止突起２０は、中心線Ａを含むように位置する１つの短い突条とすることができる。また、右方のフランジ１９の上方の係止突起２０は、中心線Ａを挟むように位置する２つの短い突条とすることができる。そして、左右のフランジ１８、１９の下方の係止突起２１は、それぞれ１つの長い突条とすることができる。
【００１１】
ここで、蓋体２を異なる高さ位置で支持するために、箱体１の前後のフランジ１６、１７には例えば３つの支持部２２をそれぞれ設け、左右のフランジ１８、１９には例えば２つの支持部２２をそれぞれ設けている。これらの支持部２２は中心線Ａに関して対称に設けていると共に、基線Ｂに関して非対称に設けている。
【００１２】
図３は箱体１の例えば前方のフランジ１６に設けた１つの支持部２２の部分拡大斜視図である。この支持部２２には蓋体２を高い位置に支持する上位段部２２ａと、蓋体２を低い位置に支持する下位段部２２ｂとをそれぞれ設け、その他の支持部２２も同様としている。
【００１３】
そして、前後のフランジ１６、１７に沿って位置する３つの支持部２２のうち、中央の支持部２２の上位段部２２ａの中心位置は基線Ｂから右方に距離Ｃだけ偏心させ、下位段部２２ｂの中心位置は基線Ｂから左方に距離Ｃだけ偏心させている。また、両側の支持部２２は中央の支持部２２に対して等距離で設けている。
【００１４】
一方、蓋体２は箱体１のフランジ１６〜１９の外側に嵌合する外側板３１〜３４と、これらの外側板３１〜３４の上端縁側を閉じる天板３５とを有している。左右の外側板３３、３４の内面には、箱体１の係止突起２０、２１と係合可能な係止突起３６をそれぞれ設けている。
【００１５】
そして、蓋体２の天板３５には、蓋体２を箱体１に被せた際に、箱体１の全ての支持部２２の上位段部２２ａ又は下位段部２２ｂにそれぞれ当接する当接部３７を設けている。これらの当接部３７は中心線Ａに関して対称に設けていると共に、基線Ｂに関して非対称に設けている。
【００１６】
図４にも示すように、当接部３７は箱体１の上位段部２２ａ又は下位段部２２ｂの上面に当接するコ字形状の突起部３７ａと、この突起部３７ａから側方に延在して箱体１の側壁１１〜１４の内面に当接する面部３７ｂ、３７ｃとを有し、これらの面部３７ｂ、３７ｃは蓋体２のがたつきを防止するようになっている。
【００１７】
なお、蓋体２の外側板３１、３２に沿って位置する３つの当接部３７のうち、中央の当接部３７の突起部３７ａの中心位置は、基線Ｂから右方に上述と同様な距離Ｃだけ偏心させている。また、両側の当接部３７は中央の当接部３７に対して等距離で設けている。そして、右端の当接部３７の面部３７ｃは、右方の外側板３４に沿って位置する当接部３７との干渉を避けるために幅を狭くしている。
【００１８】
蓋体２を箱体１に高い位置で被せる際には、図５に示すように蓋体２を上述と同様な向きに保持して箱体１に被せる。これにより、蓋体２の全ての当接部３７の突起部３７ａが箱体１の全ての支持部２２の上位段部２２ａにそれぞれ当接すると共に、全ての当接部３７の面部３７ｂ、３７ｃが箱体１の側壁１１〜１４の内面にそれぞれ当接する。同時に、蓋体２の係止突起３６が箱体１の上方の係止突起２０と係合する。なお、蓋体２を取り外す際には、蓋体２の左右の外側板３３、３４を外方に撓ませながら、蓋体２を上方に持ち上げればよい。
【００１９】
蓋体２を箱体１に低い位置で被せる場合には、図６に示すように蓋体２を水平方向に１８０度回転して箱体１に被せる。これにより、蓋体２の前後の外側板３１、３２と左右の外側板３３、３４がそれぞれ逆方向に位置する。そして図７にも示すように、蓋体２の全ての当接部３７の突起部３７ａが箱体１の全ての支持部２２の下位段部２２ｂにそれぞれ当接すると共に、全ての当接部３７の面部３７ｂ、３７ｃが箱体１の側壁１１〜１４の内面にそれぞれ当接する。同時に、蓋体２の係止突起３６が箱体１の下方の係止突起２１と係合する。
【００２０】
この実施の形態では、箱体１のフランジ１６〜１９に支持部２２を１０個所に設けると共に、蓋体２の天板３５に支持部２２と同数の当接部３７を設け、支持部２２には高さ位置の異なる上位段部２２ａと下位段部２２ｂを設け、箱体１に蓋体２を被せた際に、全ての当接部３７が全ての支持部２２のうちの同じ高さ位置の上位段部２２ａ又は下位段部２２ｂにそれぞれ当接するようにしたので、蓋体２の高さ位置を変更することが可能となり、狭い空間に有効に対応することができる。
【００２１】
以上本発明を好ましい実施の形態について説明したが、本発明は特許請求の範囲を逸脱することなく多様に変形できることは云うまでもない。例えば、箱体１と蓋体２の平面形状を長方形としたが、蓋体２の向きを変えて箱体１に被せ得るのであれば、その他の形状としても支障はない。
【００２４】
【発明の効果】
以上説明したように本発明に係る物品収納箱は、箱体の側壁の支持部には高さ位置の異なる２つの段部を設け、箱体に蓋体を被せた際に、蓋体の複数の当接部と上位段部又は下位段部とがそれぞれ当接し、箱体に蓋体を向きを変えて被せた際に、複数の当接部が下位段部又は上位段部とそれぞれ当接するようにしたので、蓋体の向きに応じて蓋体の高さ位置を変更することが可能となり、狭い空間に有効に対応することができる。また、箱体と蓋体との間のがたつきもなく、当接機構が外部から見えることもない。
【図面の簡単な説明】
【図１】本発明の実施の形態の外観斜視図である。
【図２】図１の中心線Ａに沿って切断した拡大短縮断面図である。
【図３】支持部の部分拡大斜視図である。
【図４】支持部の上位段部に当接部が当接した状態の部分拡大斜視図である。
【図５】蓋体を箱体に高い位置で被せた状態の拡大短縮断面図である。
【図６】蓋体を箱体に低い位置で被せた状態の拡大短縮断面図である。
【図７】支持部の下位段部に当接部が当接した状態の部分拡大斜視図である。
【符号の説明】
１  箱体
２  蓋体
１１〜１４  側壁
１５  底板
１６〜１９  フランジ
２０、２１、３６  係止突起
２２  支持部
２２ａ  上位段部
２２ｂ  下位段部
３１〜３４ 外側板
３５  天板
３７  当接部
３７ａ  突起部
３７ｂ、３７ｃ  面部
Ａ  中心線
Ｂ  基線
【図１】
0004792181.tif 000002
【図２】
0004792181.tif 000003
【図３】
0004792181.tif 000004
【図４】
0004792181.tif 000005
【図５】
0004792181.tif 000006
【図６】
0004792181.tif 000007
【図７】
0004792181.tif 000008